(57)【要約】【課題】開閉体に付設される装置に見合う低コストで、且つ、簡便な構造の隙間閉塞装置を提供する。【解決手段】引戸を移動する前は、検知体３の、キャップ９が圧入されている先端部がスプリング８によって引戸の前端面から突出した状態にあり、また、閉塞体４は、当該閉塞体４の磁石４ｄが検知体３の可動片６の後部６ａ３に磁力を及ぼす結果として検知体３に吸着されているが、引戸を移動して戸当り柱に当接させると、突出状態の先端部が検知体３のカバー５内に後退する一方、可動片６の非磁性部を形成する切欠き溝６ａ１が閉塞体４の磁石４ｄと対峙する位置に移動する。これにより、上記吸着が解除され、閉塞体４は当該閉塞体に作用する重力によりそのヒンジ片４ｃを軸にして揺動して床面上に垂れ下がり、引戸の下端部と床面との間に生ずる隙間を閉塞する。【選択図】図１
2005248695.tif 000002
【特許請求の範囲】
【請求項１】
開閉体を閉じたときにこの開閉体の下端部と当該開閉体の下枠或いは床面との間に生ずる隙間を閉塞するための開閉体の隙間閉塞装置において、前記開閉体の下端部に当該下端部の長手方向に移動可能に配設された検知体と、前記開閉体の下端部に当該下端部から垂下可能に配設された閉塞体とを備え、前記検知体の磁性部と前記閉塞体の磁性部との作用によって前記検知体に吸着された前記閉塞体は、前記検知体が所定位置に移動し前記検知体の非磁性部が前記閉塞体の磁性部に、又は検知体の磁性部が前記閉塞体の非磁性部に対峙して前記吸着が解除されることにより、前記下端部から前記開閉体の下枠或いは床面上に垂れ下がることを特徴とする開閉体の隙間閉塞装置。
【請求項２】
前記検知体の磁性部と前記閉塞体の磁性部とが磁石により構成されることで両者が吸着し、前記検知体の磁石が前記閉塞体の非磁性部に対峙し前記閉塞体の磁石が前記検知体の非磁性部に対峙することにより前記吸着が解除されることを特徴とする請求項１に記載の開閉体の隙間閉塞装置。
【請求項３】
前記検知体の磁性部と前記閉塞体の磁性部のいずれか一方が磁石で構成され、他方が磁石に吸着される部材で構成されることで両者が吸着し、前記一方の磁石で構成された磁性部が前記他方の部材の非磁性部に対峙することにより前記吸着が解除されることを特徴とする請求項１に記載の開閉体の隙間閉塞装置。
【請求項４】
前記閉塞体の垂れ下がりには、当該閉塞体自体の、折り曲げられた状態を元に戻そうとする復元力も作用してなることを特徴とする請求項１〜３のいずれかに記載の開閉体の隙間閉塞装置。
【発明の詳細な説明】
【技術分野】
【０００１】
本発明は、開閉体を閉じたときにこの開閉体の下端部と当該開閉体の下枠或いは床面との間に生ずる隙間を閉塞する隙間閉塞装置に関するものである。
【背景技術】
【０００２】
開閉体に付設される装置で、開閉体を閉じたときにこの開閉体の下端部と当該開閉体の下枠或いは床面との間に生ずる隙間を閉塞する装置は、従来から種々ある。
例えば、特許文献１に開示のドアの気密構造は、図７に示すように、ドア１００の下部に、長手方向にＮ極とＳ極を交互に形成した上棒磁石１０１をドア１００の横方向で摺動自在に収納し、上棒磁石１０１の一端をばね１０２にて付勢して他端に連結した接点バー１０３をドア１００の下部側部より側方に突出引退自在にし、ドア１００の下部の上棒磁石１０１の下方に、ドア１００の下面より突出引退可能に気密パッキン１０４を収納し、気密パッキン１０４の上面に長手方向にＮ極とＳ極を交互に形成した下棒磁石１０５を上棒磁石１０１と対向させて取付け、ドア１００を閉じて接点バー１０３をドア枠１０６の内側面に圧接させてドア１００の側部より引退させた状態で上棒磁石１０１と下棒磁石１０５とを同極同士で対面させることにより反発力で気密パッキン１０４をドア１００の下面より突出させて気密パッキン１０４をドア枠１０６の下面に圧接させ、ドア１００を開けて接点バー１０３をドア枠１０６の内側面から離してドア１００の側部より側方に突出させた状態で上棒磁石１０１と下棒磁石１０５とを異極同士で対面させることにより吸引力で気密パッキン１０４をドア１００の下面より引退させるようにしたものである。尚、図７（Ａ）は、従来装置が取付けられるドアの構造図であり、同図（Ｂ）は、従来装置の断面図である。
【０００３】
即ち、上述したドアの気密構造においては、気密パッキンがドアの下面に対し垂直方向に移動する構造となっており、かかる移動を磁石の吸引力および反発力で行うようになっているために、長手方向に沿ってＮ極とＳ極が交互に形成された磁石を取付ける構造となっている。即ち、気密パッキンの上面には、その長手方向にＮ極とＳ極を交互に形成した長尺の下棒磁石が、また、これに対向させてドアの下部には、その長手方向にＮ極とＳ極を交互に形成した長尺の上棒磁石が取付けられる構造となっている。しかるに、このようなＮ極とＳ極を交互に形成してなる長尺の上棒磁石および下棒磁石を取付ける構造にするとコスト高を招き、開閉体に付設される装置としては不相応で好ましくない。
【特許文献１】実開昭６２−３８３９４(第１頁、第１，２図)
【発明の開示】
【発明が解決しようとする課題】
【０００４】
解決しようとする問題点は、開閉体に付設される装置に見合う低コストで、且つ、簡便な構造のものとする点である。
【課題を解決するための手段】
【０００５】
本発明の請求項１に係る開閉体の隙間閉塞装置は、開閉体を閉じたときにこの開閉体の下端部と当該開閉体の下枠或いは床面との間に生ずる隙間を閉塞するための開閉体の隙間閉塞装置において、前記開閉体の下端部に当該下端部の長手方向に沿って移動可能に配設された検知体と、前記開閉体の下端部に当該下端部から垂下可能に配設された閉塞体とを備え、前記検知体の磁性部と前記閉塞体の磁性部との作用によって前記検知体に吸着された前記閉塞体は、前記検知体が所定位置に移動し前記検知体の非磁性部が前記閉塞体の磁性部に、又は検知体の磁性部が前記閉塞体の非磁性部に対峙して前記吸着が解除されることにより、前記下端部から前記開閉体の下枠或いは床面上に垂れ下がるようにしたものであり、上記従来例のようなＮ極とＳ極を交互に形成してそれらの吸着や反発を利用する構造でなく、かかる反発を、非磁性部により吸着が解除されたときの閉塞体に作用する重力を利用する構造としているため、付設される装置に見合う低コストで、且つ、簡便な構造とすることができる。
【０００６】
本発明の請求項２に係る開閉体の隙間閉塞装置は、前記検知体の磁性部と前記閉塞体の磁性部とが磁石により構成されることで両者が吸着し、前記検知体の磁石が前記閉塞体の非磁性部に対峙し前記閉塞体の磁石が前記検知体の非磁性部に対峙することにより前記吸着が解除されるようにしたもので、請求項１に係る装置のより具体的な実施形態の一つである。
【０００７】
本発明の請求項３に係る開閉体の隙間閉塞装置は、前記検知体の磁性部と前記閉塞体の磁性部のいずれか一方が磁石で構成され、他方が磁石に吸着される部材で構成されることで両者が吸着し、前記一方の磁石で構成された磁性部が前記他方の部材の非磁性部に対峙することにより前記吸着が解除されるようにしたもので、請求項１に係る装置のより具体的な実施形態の一つである。
ここで、磁石に吸着される部材には、鉄や、ニッケル、フェライト等を材質とする部材が含まれることはもちろん、樹脂などの基材に鉄粉などを混ぜて構成されるものも含まれる。
【０００８】
本発明の請求項４に係る開閉体の隙間閉塞装置は、前記閉塞体の垂れ下がりを生じさせる作用力として、この閉塞体に作用する重力に、当該閉塞体自体の、折り曲げられた状態を元に戻そうとする復元力が加わるようにして、閉塞体の垂れ下がりを確実に生じさせるようにしたものである。
【発明の効果】
【０００９】
本発明の開閉体の隙間閉塞装置は、開閉体に付設される装置に見合う低コストで、且つ、簡便な構造のものとすることができる利点がある。
【発明を実施するための最良の形態】
【００１０】
本発明の第１の実施の形態に係る開閉体の隙間閉塞装置を図１〜３を参照して説明する。
本隙間閉塞装置１は、引戸（開閉体）Ｐ（図２，３を参照）を閉じたときにこの引戸Ｐの下端部と、本実施の形態では床面Ｑ（図２，３を参照）との間に生ずる隙間を閉塞するためのもので、本実施の形態では図１に示すような断面略コ字状の長尺で薄厚なケース体２がビス孔２ｃから挿入されるビス（図示せず）により引戸Ｐの下端部に取付けられており、このようなケース体２を介して引戸Ｐの下端部に取付けられる。かかる装置１は、引戸Ｐの下端部に当該下端部の長手方向に沿って移動可能なようにこのケース体２を介して配設された検知体３と、引戸Ｐの下端部に、検知体３の、引戸Ｐが閉じられる方向とは反対方向への移動によって当該下端部から垂下可能なように上記ケース体２を介して配設された閉塞体４とを備えている。
【００１１】
検知体３は、カバー５と、このカバー５の後方に連設される可動片６と、カバー５を貫通する態様で配設される細長な円筒状の軸棒７と、カバー５内に配設されるスプリング８と、この軸棒７の先端部に圧入される短尺な中空円筒形のキャップ９とで構成され、ケース体２の先端部に配設される。このとき、カバー５は、当該カバー５の前面が引戸Ｐの前端面と一致するように配設されるようになっている。
かかるカバー５は、両側に薄厚の板状鍔５ａを有する略円筒部５ｂ及びこの円筒部５ｂの前端面に配設された薄厚の板状フランジ５ｃで構成され、この鍔５ａがケース体２の上部内に設けられた案内溝２ａに緩挿されるとともに、このフランジ５ｃがケース体２の前端面に当接されてケース体２の先端部に取付けられる。また、このカバー５の円筒部５ｂには、径大の中空孔５ｂ１及びこの中空孔５ｂ１に連なって当該中空孔５ｂ１より短尺で径小の中空孔５ｂ２が同芯軸をなして設けられており、後に詳述するように、これら孔５ｂ１，５ｂ２を貫通する態様で軸棒７が、また、孔５ｂ１内にはスプリング８が配設される。
ところで、カバー５は、本実施の形態では検知体３の一構成部材としているが、それ自体がケース体２の所謂化粧カバーであり、これ自体は移動しない。また、かかるカバー５は、図１に示すように、ケース体２の後端部の化粧カバーとしても流用されている。
【００１２】
検知体３の可動片６は、本実施の形態ではそれ自体が、鉄やニッケル、フェライト等のような磁石に吸着される磁性部材で造られており、極薄厚で長尺な矩形状プレート６ａと、このプレート６ａの先端面中央で当該プレート６ａに対し垂直をなして下方に折曲された小フランジ６ｂとで構成され、このプレート６ａはケース体２の案内溝２ａに緩挿される。そして、このプレート６ａの後端部寄りのところにコ字状の切欠き溝６ａ１が設けられており、かかる切欠き溝６ａ１が可動片６の非磁性部（検知体の非磁性部）を形成する。また、小フランジ６ｂには軸棒７の下記ネジ部７ｂが螺合するネジ孔６ｂ１が設けられている。ところで、プレート６ａの前端部寄りのところに設けられた長孔６ａ２は、ビス孔２ｃを通してビスをねじ込むときの便宜のための取付け孔であるが、本発明では、非磁性部を形成する切欠き溝６ａ１もまた長孔６ａ２と同様な機能を果たしている。
ところで、本実施の形態では、可動片６の非磁性部を切欠き溝６ａ１で形成した場合であったが、例えば、当該非磁性部を開口孔で形成してもよく、また、当該非磁性部のところに樹脂部材を固着してこの可動片６の非磁性部を形成してもよい。
【００１３】
検知体３の軸棒７は、上述のように細長な円筒状部材であり、この円筒状部材の中央部より先端部寄りのところに鍔７ａが設けられ、この円筒状部材の後端部に上述したネジ部７ｂが設けられている。そして、軸棒７は、この軸棒７の先端部に当該軸棒７の鍔７ａに当接するところまで圧入された上記キャップ９がカバー５の孔５ｂ１から突出し、また、カバー５の孔５ｂ２から突出した軸棒７のネジ部７ｂの適宜位置に可動片６のネジ孔６ｂ１が螺着した状態で（螺着位置は適宜調整できる）、上述のようにカバー５の孔５ｂ１，５ｂ２を貫通する態様で配設される。更に、上記スプリング８が、鍔７ａを一方のスプリング座とし、孔５ｂ１の孔底の、孔５ｂ２との段差面を他方のスプリング座として、上述のように孔５ｂ１内に配設され、かかるスプリング８は、軸棒７の先端部（キャップ９が圧入されている部位）をカバー５の孔５ｂ１から突出する方向に軸棒７を付勢している（図２（Ａ）参照）。
【００１４】
閉塞体４は、上記ケース体２とほぼ同一の幅及び長さを有する樹脂成形された非磁性部材であり、長尺で薄厚なプレート部４ａと、このプレート部４ａの上面（図１において）で当該プレート部４ａの両端縁からやや離れた位置にそれぞれ立設された断面略Ｌ字状のリブ４ｂと、このプレート部４ａの一方端に当該プレート部４ａの長手方向に沿って設けられた断面小円形状のヒンジ片４ｃとで構成され、両リブ４ｂの、Ｌ字状に折り曲げられた折曲部は、互いに対向する側に向いていて下記磁石４ｄを把持する形態をなしている。そして、この閉塞体４は、当該閉塞体４のヒンジ片４ｃが上記ケース体２の一方端で案内溝２ａの下部に設けられた略Ｃ字状溝孔２ｂに挿入され、かかるヒンジ片４ｃを軸にしてケース体２に対し揺動可能に配設される。また、この閉塞体４には、このプレート部４ａの上面中央で両リブ４ｂの間に薄厚の略正方形状の磁石（閉塞体の磁性部）４ｄが固着されており、したがって、閉塞体４は、当該閉塞体４の磁石４ｄにより可動片６、即ち、検知体３に吸着されるようになるが、検知体３の移動によって可動片６の切欠き溝６ａ１、即ち非磁性部が磁石４ｄに対峙する位置では、上記吸着が解除されるようになっている。
【００１５】
次に、本隙間閉塞装置１の動作を図２，３を用いて説明する。尚、図２（Ｂ）は、同図（Ａ）のＡ矢視図であり、図３（Ｂ）は、同図（Ｂ）のＢ矢視図である。
引戸Ｐを戸当り柱Ｒに当接させて閉じるべく当該引戸Ｐを移動して、例えば図２（Ａ）に示すような状態にあるときには、検知体３の、キャップ９が圧入されている先端部がスプリング８によって引戸Ｐの前端面から突出した状態にあり、また、閉塞体４は、当該閉塞体４の磁石４ｄが検知体３の、本実施の形態では可動片６の後部６ａ３（検知体の磁性部）に磁力を及ぼす結果として検知体３に吸着され、したがって、図２に示すように引戸Ｐの下端部と床面Ｑとの間には隙間が生じている。
しかるに、引戸Ｐを更に移動させ当該引戸Ｐを戸当り柱Ｒに当接させて閉じると、図３に示すように、検知体３の軸棒７及び可動片６がスプリング８の付勢力に抗して移動し、突出状態の先端部が検知体３のカバー５内に後退する一方、上記可動片６の切欠き溝６ａ１、即ち非磁性部が閉塞体４の磁石４ｄと対峙する位置に移動する。これにより、上記吸着が解除され、閉塞体４は当該閉塞体に作用する重力によりそのヒンジ片４ｃを軸にして揺動して床面Ｑ上に、当該床面Ｑに対し所定角度傾斜して垂れ下がり（図３（Ｂ））、引戸Ｐの下端部と床面Ｑとの間に生ずる隙間を閉塞する。そして、この閉塞体４においては、図２（Ｂ）に示すように、そのヒンジ片４ｃがそのプレート部４ａに対し略直角に折り曲げられる状態で検知体３に吸着されるようにしているので、かかる閉塞体４の揺動による上記隙間の閉塞に際しては、上記重力作用に加えて、折り曲げられた状態を元に戻そうとする閉塞体４自体の復元力も作用する。この結果、閉塞体の垂れ下がりを確実に生じさせることができる。
ところで、上述した閉塞体４が床面Ｑに垂れ下がるときの傾斜角度は、上記吸着力の大きさ及び閉塞体４の重量などを考慮して設定されることは言うまでもない。
【００１６】
次に、本発明の第２の実施の形態に係る開閉体の隙間閉塞装置を図４を参照して説明する。尚、図４において、図１〜３の構成部材と同一の部材には同一番号を付すとともに、その説明は割愛する。
本隙間閉塞装置１０が、上記第１の実施の形態に係る隙間閉塞装置１と異なるところは、ケース体２の代わりにケース体１１を、検知体３の代わりに検知体１２を、また、閉塞体４の代わりに閉塞体１３を用いている点であり、本隙間閉塞装置１０は、引戸（開閉体）が上述した引戸Ｐより大きいため当該引戸の幅や長さが大きくなる場合に、上述のように検知体３の後部６ａ３の一箇所でのみ閉塞体４を吸着させるには十分でないので、このような場合に対応できるようにしたものである。
【００１７】
具体的には、検知体１２は、上記検知体３の可動片６の代わりに可動片１４を備え、この可動片１４のプレート１４ａの前端部寄りのところ及び後端部近傍のところにコ字状の切欠き溝１４ａ１，１４ａ２を図４に示すように所定距離だけ離隔させてそれぞれ設け、かかる切欠き溝１４ａ１，１４ａ２を検知体１２の非磁性部としている。
また、閉塞体１３は、このプレート部１３ａの上面（図４において）の、上記非磁性部を形成する切欠き溝１４ａ１，１４ａ２に対応するところに薄厚の略正方形状の磁石（閉塞体の磁性部）１３ｂ１，１３ｂ２がそれぞれ固着されている。
ところで、１１ａはビス孔で、ケース体１１がこのビス孔１１ａから挿入されるビス（図示せず）により引戸（図示せず）の下端部に取付けられる。尚、本実施の形態でも、ケース体１１の取付けの利便性を考慮して、ビス孔１１ａが切欠き溝１４ａ１，１４ａ２の位置に来るように設定されている。
【００１８】
本隙間閉塞装置１０において、引戸が戸当たりに当接する前は、閉塞体１３は、当該閉塞体１３の磁石１３ｂ１，１３ｂ２が検知体１２の、本実施の形態ではプレート１４ａの前部１４ａ３，後部１４ａ４（検知体の磁性部）にそれぞれ磁力を及ぼす結果として検知体１２に吸着されており、かかる吸着力は強力なものとなっている。しかるに、引戸が戸当たりに当接して閉塞体４が床面上に垂れ下がり、引戸の下端部と床面との間の隙間が閉塞されるときには、可動片１４の非磁性部を形成する切欠き溝１４ａ１，１４ａ２が閉塞体１３の磁石１３ｂ１，１３ｂ２とそれぞれ対峙する位置（所定位置）に移動して上記吸着が解除されることは同様である。
【００１９】
次に、本発明の第３の実施の形態に係る開閉体の隙間閉塞装置を図５を参照して説明する。尚、図５において、図１〜３の構成部材と同一の部材には同一番号を付すとともに、その説明は割愛する。
本隙間閉塞装置２０が、上記第１の実施の形態に係る隙間閉塞装置１と異なるところは、検知体３の代わりに、当該検知体３の可動片６が可動片２２に置換された検知体２１を用いている点である。
この検知体２１の可動片２２は、上記可動片６と形状や材質は同一であるが、可動片２２の後部６ａ３（可動片６の後部６ａ３と同一）の位置に薄厚な矩形状の磁石（検知体の磁性部）２２ａが固着されている点が上記可動片６と異なる。尚、切欠き溝６ａ１が可動片２２の非磁性部（検知体の非磁性部）を形成することは、上記可動片６と同様である。
【００２０】
本隙間閉塞装置２０の動作については、上記隙間閉塞装置１とほぼ同様であり、引戸が戸当たりに当接する前は、閉塞体４は、当該閉塞体４の磁石４ｄと可動片２２の磁石２２ａとが吸引し合う結果として検知体１２に吸着されている。しかるに、引戸が戸当たりに当接して閉塞体４が床面上に垂れ下がり、引戸の下端部と床面との間の隙間が閉塞されるときには、可動片２２の非磁性部を形成する切欠き溝６ａ１が閉塞体４の磁石４ｄと対峙する位置に移動し、可動片２２の磁石２２ａが閉塞体４の非磁性部（閉塞体４の、磁石４ｄが固着されていない部位）と対峙する位置に移動して上記吸着が解除されるようになる。
【００２１】
次に、本発明の第４の実施の形態に係る開閉体の隙間閉塞装置を図６を参照して説明する。尚、図６において、図５の構成部材と同一の部材には同一番号を付すとともに、その説明は割愛する。
本隙間閉塞装置３０が、上記第３の実施の形態に係る隙間閉塞装置２０と異なるところは、検知体２１の代わりに、当該検知体２１の可動片２２が可動片３２に置換された検知体３１を用い、閉塞体４の代わりに閉塞体３３を用いている点である。
この検知体３１の可動片３２は、可動片２２と材質は同一であるが、可動片２２と形状がやや異なり、当該可動片３２のプレート３２ａには、プレート６ａの切欠き溝６ａ１に相当する切欠き溝が設けられていない。ところで、検知体の磁性部は可動片３２の磁石２２ａ（可動片２２の磁石２２ａと同一）により構成されるが、検知体の非磁性部は、本実施の形態の場合には後述するように閉塞体３３の磁性部が鉄片３３ａで構成されるため、設けるには及ばない。尚、ビス孔２ｃを通してビスをねじ込むときの便宜のための取付け孔として、プレート３２ａの前端部寄りのところに設けられた長孔６ａ２と同様な長孔３２ａ１が設けられている。一方、閉塞体３３は、閉塞体４に固着された磁石４ｄの代わりに、磁石に吸着される部材、例えば鉄片３３ａにより閉塞体の磁性部を構成しており、この点が閉塞体４と異なる。
【００２２】
本隙間閉塞装置３０の動作については、上記隙間閉塞装置２０とほぼ同様であり、引戸が戸当たりに当接する前は、閉塞体３３は、当該閉塞体３３の鉄片３３ａが可動片３２の磁石２２ａからの磁力を受けて検知体３１に吸着されている。しかるに、引戸が戸当たりに当接して閉塞体３３が床面上に垂れ下がり、引戸の下端部と床面との間の隙間が閉塞されるときには、可動片３２の磁石２２ａが閉塞体３３の非磁性部（閉塞体３３の、鉄片３３ａが固着されていない部位）と対峙する位置に移動して上記吸着が解除されるようになる。
【００２３】
ところで、上述の第１〜４の実施の形態においては、例えば検知体３の可動片６を磁石に吸着される部材とし、閉塞体４を樹脂成形された非磁性部材とした組み合わせの場合について説明したが、例えば検知体３の可動片６を非磁性部材としたり、閉塞体４を磁石に吸着される部材としたりする組み合わせであっても、本発明に係る隙間閉塞装置は構成できる。
また、上述した第１〜４の実施の形態では、上記吸着が解除されたときに、例えば閉塞体４は当該閉塞体４に作用する重力によりそのヒンジ片４ｃを軸にして揺動して床面上に垂れ下がる場合であったが、上述した従来の気密構造に係るものと同様に、閉塞体４を引戸の下端部や床面に対し垂直に昇降させるように構成したものであってもよい。但し、このような構成にする場合には、上記実施の形態のようなヒンジ片４ｃを軸にして揺動させるタイプの場合と比べて、より大きな吸着力を得るための磁性体を増やさなければならなくなる。
【産業上の利用可能性】
【００２４】
本発明の開閉体の隙間閉塞装置は、開閉体に付設される装置に見合う低コストで、且つ、簡便な構造のものとすることができるため、この種の装置として、既存のものに比し利用価値は高い。
【図面の簡単な説明】
【００２５】
【図１】第１の実施の形態に係る開閉体の隙間閉塞装置の分解斜視図である。
【図２】図１の装置の動作説明図である。
【図３】図１の装置の動作説明図である。
【図４】第２の実施の形態に係る開閉体の隙間閉塞装置の分解斜視図である。
【図５】第３の実施の形態に係る開閉体の隙間閉塞装置の分解斜視図である。
【図６】第４の実施の形態に係る開閉体の隙間閉塞装置の分解斜視図である。
【図７】従来装置の構造図である。
【符号の説明】
【００２６】
１，１０〜３０        隙間閉塞装置
３，１２，２１，３１  検知体
４，１３，３３        閉塞体
４ｄ                  磁石（閉塞体の磁性部）
６ａ１                切欠き溝（検知体の非磁性部）
６ａ３                後部（検知体の磁性部）
１３ｂ１，１３ｂ２      磁性体（閉塞体の磁性部）
１４ａ１，１４ａ２      切欠き溝（検知体の非磁性部）
１４ａ３              前部（検知体の磁性部）
１４ａ４              後部（検知体の磁性部）
２２ａ                磁石（検知体の磁性部）
３３ａ                鉄片（閉塞体の磁性部）
Ｐ                    引戸（開閉体）
Ｑ                    床面
【図１】
2005248695.tif 000003
【図２】
2005248695.tif 000004
【図３】
2005248695.tif 000005
【図４】
2005248695.tif 000006
【図５】
2005248695.tif 000007
【図６】
2005248695.tif 000008
【図７】
2005248695.tif 000009